(57)【要約】 【課題】  発信者番号に基づいて鳴動処理の要否を判断する移動機に対して、場所を問うことなく、移動機が無鳴動モードであっても鳴動処理を行わせることのできるサーバ装置、通信システムおよび鳴動制御方法を提供することを目的とする。【解決手段】  サーバ装置２００は、移動機３００から公衆通信網を経由して移動機１００を特定する電話番号情報を受信し、受信された電話番号情報に基づいて特定された移動機１００に対して、サーバ装置２００を特定する電話番号情報を付加した発信信号を送信する。移動機１００では、無鳴動モード時に、サーバ装置２００の電話番号情報が付加された発信信号を受信した場合、鳴動処理を行う。【選択図】  図１
2006287608.tif 000002
【特許請求の範囲】
【請求項１】
着信時に鳴動する鳴動モードおよび着信時に鳴動しない無鳴動モードを切り替え可能な、公衆無線網を経由して通信する無線通信端末と、公衆通信網に接続され、前記無線通信端末に対して発信処理を行うサーバ装置と、を備える通信システムにおいて、
前記サーバ装置は、
公衆通信網を経由して前記無線通信端末を特定する宛先情報を受信するサーバ受信手段と、
前記サーバ受信手段により受信された宛先情報に基づいて特定された前記無線通信端末に対して、前記サーバ装置を特定する識別情報を付加した発信信号を送信する発信手段と、を備え、
前記無線通信端末は、
前記発信手段により発信された発信信号を受信する端末受信手段と、
無鳴動モード時に、前記端末受信手段により前記サーバ装置の識別情報が付加された発信信号を受信した場合、鳴動する鳴動手段と、を備える
ことを特徴とする通信システム。
【請求項２】
前記サーバ装置は、前記発信手段による発信信号の送信処理を行うに先立って、認証処理を行う認証手段を備えることを特徴とする請求項１に記載の通信システム。
【請求項３】
前記無線通信端末の鳴動手段は、サーバ装置からの着信があった場合、サーバ装置からの発信処理が終了しても、あらかじめ定めた時間、鳴動しつづけることを特徴とする請求項１または２に記載の通信システム。
【請求項４】
着信時に鳴動する鳴動モードおよび着信時に鳴動しない無鳴動モードを切り替え可能であって、あらかじめ定められた発信元からの着信に対しては、無鳴動モードに設定された場合でも、鳴動処理を行う、公衆無線網を経由して通信を行う無線通信端末に対して発信処理を行う、公衆通信網を経由して通信するサーバ装置において、
公衆通信網を経由して前記無線通信端末を特定する宛先情報を受信するサーバ受信手段と、
前記サーバ受信手段により受信された宛先情報に基づいて特定された前記無線通信端末に対して、前記サーバ装置を特定する識別情報を付加した発信信号を送信する発信手段と、
を備えるサーバ装置。
【請求項５】
着信時に鳴動する鳴動モードおよび着信時に鳴動しない無鳴動モードを切り替え可能な、公衆無線網を経由して通信する無線通信端末と、公衆通信網に接続され、前記無線通信端末に対して発信処理を行うサーバ装置と、を備える通信システムの鳴動制御方法において、
前記サーバ装置は、
公衆通信網を経由して前記無線通信端末を特定する宛先情報を受信するサーバ受信ステップと、
前記サーバ受信ステップにより受信された宛先情報に基づいて特定された前記無線通信端末に対して、前記サーバ装置を特定する識別情報を付加した発信信号を送信する発信ステップと、を備え、
前記無線通信端末は、
前記発信ステップにより発信された発信信号を受信する端末受信ステップと、
無鳴動モード時に、前記端末受信ステップにより前記サーバ装置の識別情報が付加された発信信号を受信した場合、鳴動する鳴動ステップと、を備える
ことを特徴とする鳴動制御方法。
【発明の詳細な説明】
【技術分野】
【０００１】
本発明は、着信時に鳴動しない無鳴動モードに設定された移動機を鳴動させるサーバ装置、通信システムおよび鳴動制御方法に関する。
【背景技術】
【０００２】
近年の移動機は、マナーモードとして着信時に着信音を鳴動させることなくバイブレータにより振動させることにより、移動機の保有者に着信があったことを知らせる機能を備えている。ここで、ユーザは、マナーモードに設定した状態で移動機を目の届かないところに置いてしまい、どこにあるか分からなくなる場合がある。そのために、移動機がマナーモードに設定されていても、所定の操作により鳴動させることができると、移動機を探し出すのに便利である。例えば、特許文献１には、探し出される対象となる移動機がバイブレータモードに設定されていても、他の電話機において特殊番号のボタンを押下することにより発信信号とともに付加情報を当該移動機に対して発信し、探し出される対象となる移動機において、他の電話機から発信された付加情報を検出することによりリンガによる鳴動を行うことが記載されている。
【特許文献１】特開２００４−２４４６１０号公報
【発明の開示】
【発明が解決しようとする課題】
【０００３】
この特許文献１には、他の電話機において特殊番号のボタンを押下することにより発信された付加情報を送る必要があることから、その操作に手間がかかるとともに、探し出される対象となる移動機において付加情報を認識するための処理が必要である。一方、一般の移動機においては、発信者番号を認識することができる機能を備えていることを考慮すると、所定の発信者番号に基づいて鳴動処理を行うか否かを判断することができる場合、上述の付加情報を認識するための処理に関する問題を解消することができる。
【０００４】
しかしながら、発信者番号に基づいて鳴動処理の要否を判断する方法においては、第三者に使用されることを防止するために、上述所定の電話番号として、通常自宅の固定電話の電話番号を設定することが考えられるが、この場合、自宅以外で鳴動処理をさせるための処理を行うことができない。
【０００５】
そこで、本発明は、発信元の識別情報に基づいて鳴動処理の要否を判断する移動機に対して、場所を問うことなく、移動機が無鳴動モードであっても鳴動処理を行わせることのできるサーバ装置、通信システムおよび鳴動制御方法を提供することを目的とする。
【課題を解決するための手段】
【０００６】
上述の課題を解決するため、本発明の通信システムは、着信時に鳴動する鳴動モードおよび着信時に鳴動しない無鳴動モードを切り替え可能な、公衆無線網を経由して通信する無線通信端末と、公衆通信網に接続され、上記無線通信端末に対して発信処理を行うサーバ装置と、を備える通信システムにおいて、上記サーバ装置は、公衆通信網を経由して上記無線通信端末を特定する宛先情報を受信するサーバ受信手段と、上記サーバ受信手段により受信された宛先情報に基づいて特定された上記無線通信端末に対して、上記サーバ装置を特定する識別情報を付加した発信信号を送信する発信手段と、を備え、上記無線通信端末は、上記発信手段により発信された発信信号を受信する端末受信手段と、無鳴動モード時に、上記端末受信手段により上記サーバ装置の識別情報が付加された発信信号を受信した場合、鳴動する鳴動手段と、を備えている。
【０００７】
また、本発明のサーバ装置は、着信時に鳴動する鳴動モードおよび着信時に鳴動しない無鳴動モードを切り替え可能であって、あらかじめ定められた発信元からの着信に対しては、無鳴動モードに設定された場合でも、鳴動処理を行う、公衆無線網を経由して通信を行う無線通信端末に対して発信処理を行う、公衆通信網を経由して通信するサーバ装置において、公衆通信網を経由して上記無線通信端末を特定する宛先情報を受信するサーバ受信手段と、上記サーバ受信手段により受信された宛先情報に基づいて特定された上記無線通信端末に対して、上記サーバ装置を特定する識別情報を付加した発信信号を送信する発信手段と、を備えている。
【０００８】
また、本発明の鳴動制御方法は、着信時に鳴動する鳴動モードおよび着信時に鳴動しない無鳴動モードを切り替え可能な、公衆無線網を経由して通信する無線通信端末と、公衆通信網に接続され、上記無線通信端末に対して発信処理を行うサーバ装置と、を備える通信システムの鳴動制御方法において、上記サーバ装置は、公衆通信網を経由して上記無線通信端末を特定する宛先情報を受信するサーバ受信ステップと、上記サーバ受信ステップにより受信された宛先情報に基づいて特定された上記無線通信端末に対して、上記サーバ装置を特定する識別情報を付加した発信信号を送信する発信ステップと、を備え、上記無線通信端末は、上記発信ステップにより発信された発信信号を受信する端末受信ステップと、無鳴動モード時に、上記端末受信ステップにより上記サーバ装置の識別情報が付加された発信信号を受信した場合、鳴動する鳴動ステップと、を備えている。
【０００９】
この発明によれば、サーバ装置は、公衆網を経由して無線通信端末を特定する宛先情報を受信し、サーバ装置を特定する識別情報を付加した発信信号を無線通信端末に送信し、無線通信端末は、無鳴動モード時にサーバ装置の識別情報が付加された発信信号を受信した場合、無鳴動モードに設定されていたとしても、鳴動することができる。これにより、ユーザは、公衆通信網に接続されているサーバ装置から発信処理を行わせるために、当該サーバ装置に対して、鳴動着信処理を無線通信端末に行わせるよう依頼する処理を行うだけで、ユーザはどの場所にいても、無線通信端末を探し出すための発信依頼を行うことができる。
【００１０】
よって、無線通信端末が無鳴動モードに設定されていても、サーバ装置からの着信に対しては鳴動処理を行うことができるため、無鳴動モードに設定された状態で無線通信端末がユーザの目の届かない場所に隠れてしまった場合でも、無線通信端末は鳴動処理を行うことができ、ユーザは、無線通信端末の着信音に基づいて、簡単に無線通信端末の場所を探し出すことができる。また、無線通信端末を紛失した場合であっても、ユーザは着信音を聞くことができない場合には、少なくとも、ユーザが現にいる場所に無線通信端末は存在していないことを知ることができる。よって、ユーザは、紛失届を出す、または無線通信端末の発信処理を停止するよう通信業者に知らせる、などの対策を迅速に行うことができる。
【００１１】
また、本発明の通信システムの上記サーバ装置は、上記発信手段による発信信号の送信処理を行うに先立って、認証処理を行う認証手段を備えていることが好ましい。
【００１２】
この発明によれば、発信手段による発信信号の送信処理を行うに先立って、認証処理を行うことができる。これにより、無線通信端末が無鳴動モードであるときに、第三者が勝手に無線通信端末を鳴動させる着信を行わせる操作をすることを防止することができる。
【００１３】
また、本発明の通信システムは、上記無線通信端末の鳴動手段は、サーバ装置からの着信があった場合、サーバ装置からの発信処理が終了しても、あらかじめ定めた時間、鳴動しつづけることが好ましい。
【００１４】
これにより、無線通信端末は、サーバ装置からの着信があった場合、サーバ装置からの発信処理が終了しても、あらかじめ定めた時間、鳴動しつづけることができる。これにより、サーバ装置は長時間発信処理を行う必要がなく、サーバ装置の負荷を低減することができる。
【発明の効果】
【００１５】
本発明は、公衆通信網に接続されているサーバ装置から発信処理を行うことができるために、ユーザは当該サーバ装置に対して、鳴動着信処理を無線通信端末に行わせるよう依頼する処理を行うだけで、ユーザはどの場所にいても、無線通信端末を探し出すための発信依頼処理を行うことができる。
【００１６】
よって、無線通信端末が無鳴動モードであっても、サーバ装置からの着信に対しては鳴動処理を行うことができるため、無鳴動モードに設定された状態で無線通信端末がユーザの目の届かない場所に隠れてしまった場合でも、無線通信端末は鳴動処理を行うことができ、ユーザは、無線通信端末の着信音に基づいて、簡単に無線通信端末の場所を探し出すことができる。
【００１７】
また、無線通信端末を紛失した場合であっても、ユーザは着信音を聞くことができない場合には、少なくとも、ユーザが現にいる場所に無線通信端末は存在していないことを知ることができる。よって、ユーザは、紛失届を出す、または無線通信端末の発信処理を停止するよう通信業者に知らせる、などの対策を迅速に行うことができる。
【発明を実施するための最良の形態】
【００１８】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００１９】
本実施形態の概要について図を用いて説明する。図１は、本実施形態における移動機１００、サーバ装置２００、および移動機３００を含んで構成されている通信システムのシステム構成図である。図１を用いて、本実施形態の概要について説明する。
【００２０】
移動機１００が、紛失した端末、または目の届かないところに置かれている端末であると仮定する。移動機１００のユーザは、移動機１００とは別の移動機３００を用いてサーバ装置２００に対して、移動機１００に対して発信処理を行うように依頼する（矢印Ａ）。サーバ装置２００は、移動機３００から依頼を受けると、サーバ装置２００を発信元として示す電話番号または発信元を特定する情報を付して移動機１００に対して発信処理を行う（矢印Ｂ）。
【００２１】
移動機１００では、サーバ装置２００からの着信があった場合には、着信音を鳴動しないマナーモードに設定されていた場合であっても、着信音による鳴動処理を行うように設定されている。よって、移動機１００は、サーバ装置２００からの着信があった場合、マナーモードに設定されていた場合であっても、鳴動処理を行うことができる。これにより、移動機１００のユーザは、移動機１００が置かれている場所を、着信音を頼りに探し出すことができる。
【００２２】
なお、サーバ装置２００は、公衆通信網４００と接続されており、移動機３００のほか、一般の固定電話機と通信することができる。よって、ユーザはどの場所にいても、公衆通信網と通信することができる環境にいる限り、サーバ装置２００に対して移動機１００に対する発信依頼を行うことができる。以下、移動機１００およびサーバ装置２００の詳細な構成およびその動作について説明する。
【００２３】
図２は、本実施形態の移動機１００のブロック構成図である。移動機１００は、通信部１０１（端末受信手段）、鳴動設定部１０２、鳴動部１０３（鳴動手段）、発信元判断部１０４を含んで構成されている。このほか、移動機１００は、通話を行うための通話処理部（図示せず）、データ通信するためのデータ通信処理部（図示せず）、ディスプレイ部（図示せず）、操作部（図示せず）などを一般の携帯電話と同様な構成を備えているが、これら構成については省略する。
【００２４】
通信部１０１は、公衆通信網４００を経由してデータを送受信し、また着信信号および発信元（発信者の電話番号）を示す制御信号を受信する部分である。
【００２５】
鳴動設定部１０２は、鳴動部１０３に着信音を鳴動させるための通常モード（鳴動モード）、または鳴動部１０３に着信音を鳴動させることなく、バイブレータ機能により着信を知らせるマナーモード（無鳴動モード）、のいずれかのモードを設定するための部分である。ユーザは操作部（図示せず）を操作することにより、鳴動設定部１０２に、通常モードまたはマナーモードのいずれかを設定することができる。
【００２６】
鳴動部１０３は、通信部１０１により着信信号が公衆通信網４００を経由して受信された場合、あらかじめ設定された着信音を鳴動する部分である。鳴動部１０３は、鳴動設定部１０２により設定されたモードに基づいて着信音を鳴動し、または鳴動しない処理を行う。また、鳴動部１０３は、発信元判断部１０４から鳴動するための指示信号を入力した場合には、鳴動設定部１０２がマナーモードに設定されているか否かにかかわらず、着信音を鳴動する鳴動処理を行う。なお、鳴動部１０３は、発信元判断部１０４からの指示信号に基づいて鳴動処理が行われた場合、着信信号の受信が終了しても、あらかじめ定めた時間（例えば、１分間など）鳴動しつづけるようにしてもよい。
【００２７】
発信元判断部１０４は、通信部１０１により着信された着信信号とともに受信された発信元の電話番号を認識し、あらかじめ設定された電話番号を有する発信元からの着信であるか否かを判断する部分である。鳴動設定部１０２によりマナーモードが設定され、鳴動部１０３が、着信があっても鳴動しない状態である場合でも、発信元判断部１０４があらかじめ定めた電話番号を有する発信元からの着信があったと判断した場合には、鳴動部１０３に鳴動させる指示信号を出力する。鳴動部１０３は、発信元判断部１０４から出力された指示信号により、鳴動設定部１０２がマナーモードに設定されていた場合でも、鳴動処理を行うことになる。なお、発信元判断部１０４は、発信元を特定する識別情報である電話番号を認識しているが、発信元において電話番号以外の識別情報が送信される場合は、その識別情報を認識するように発信元判断部１０４は設定される必要がある。
【００２８】
このように移動機１００は、発信元判断部１０４によりあらかじめ定めた電話番号の発信元から着信があった場合は、マナーモードに設定されていた場合であっても鳴動部１０３を用いて着信音を鳴動する処理を行うことができる。
【００２９】
次に、この移動機１００に対して、発信処理を行うことができるサーバ装置２００の構成について説明する。図３は、サーバ装置２００のブロック構成図である。サーバ装置２００は、通信部２０１（サーバ受信手段）、登録部２０２、データベース２０３、認証部２０４（認証手段）、および発信処理部２０５（発信手段）を含んで構成されている。以下、各構成について説明する。
【００３０】
通信部２０１は、公衆通信網４００を経由してデータの送受信を行う部分である。
【００３１】
登録部２０２は、データベース２０３に対して、鳴動処理を行わせる移動機１００の宛先情報である電話番号および暗証番号を対応付けて記憶させる処理を行う部分である。登録部２０２は、移動機１００である登録依頼元から登録の依頼を受けると、対象となる移動機１００の電話番号および認証処理のための暗証番号を入力するように音声ガイダンスを出力する。登録部２０２は、音声ガイダンスの出力後に、移動機１００から受信された電話番号および暗証番号をデータベース２０３に記憶する。なお、この場合においては、電話番号及び暗証番号は、ＤＴＭＦ信号により送受信されていることが好ましい。
【００３２】
また、登録部２０２は、移動機１００からの着信を受けた際に、その発信者番号通知により、移動機１００の電話番号を取得するようにしてもよい。また、登録部２０２は、暗証番号としてネットワーク暗証番号を使用することも可能である。この場合、登録部２０２は、ネットワーク暗証番号を管理しているサーバとのリンク接続が必要となる。
【００３３】
さらに、登録部２０２は、インターネット電子メールまたはＳＭＳ（Short Message Service）によるメールを移動機１００から受信することにより宛先情報である電話番号および暗証番号を設定することができる。この場合、メールのタイトル部分または本文部分に、電話番号および暗証番号が記述されることにより、電話番号および暗証番号は特定される。また、登録部２０２は、Ｗｅｂ機能を備え、Ｗｅｂを経由して電話番号および暗証番号を設定してもよい。
【００３４】
データベース２０３は、登録部２０２により登録された移動機１００の電話番号および暗証番号を管理テーブルとして記憶する部分である。移動機１００を鳴動させる依頼を受けたときに、このデータベース２０３に記憶されている電話番号および暗証番号に基づいて発信処理部２０５は発信処理を行うことができる。
【００３５】
以下、データベース２０３に記憶されている管理テーブルについて図４に基づいて説明する。図４は、データベース２０３に記憶されている管理テーブルである。図４に示すように、管理テーブルは電話番号と暗証番号とを対応付けて記憶している。この管理テーブルは、公衆通信網を経由して移動機１００などの通信端末から登録されることで、構築されている。
【００３６】
図３に戻り、引き続き説明する。認証部２０４は、通信部２０１を介して受信された発信処理部２０５による発信処理を行うことの依頼の依頼元に対して認証処理を行う部分である。具体的には、認証部２０４は、依頼元の移動機３００に対して、鳴動させる対象となる移動機１００の電話番号およびこの電話番号に対応する暗証番号を入力するように音声ガイダンスを、通信部２０１を介して出力する。そして、認証部２０４は、依頼元の移動機３００で入力された暗証番号と、依頼元の移動機３００で入力された電話番号に対応する、データベース２０３に登録されている暗証番号と、が一致していると判断した場合、発信処理部２０５に依頼元の移動機３００から入力された電話番号宛てに発信処理を行うよう指示を出力する。
【００３７】
発信処理部２０５は、依頼元の移動機３００から入力された電話番号宛てに発呼する発信処理を行う部分である。発信処理を行う際、発信処理部２０５は、発信者番号通知機能を利用して、サーバ装置２００を特定することができる識別情報である電話番号（またはサーバ装置２００を特定することができる電話番号以外の識別情報でもよい）を発信元として、発信信号を出力するとともに当該電話番号を出力する。
【００３８】
このように、サーバ装置２００は、移動機１００を鳴動させるための依頼を、他の電話機である移動機３００から受け、移動機１００に対してサーバ装置２００を発信元とした発信処理を行うことができる。
【００３９】
以上のとおり構成された移動機１００およびサーバ装置２００の動作について説明する。図５は、移動機１００、サーバ装置２００および移動機３００の動作を示すシーケンス図である。
【００４０】
まず、前提として移動機１００から、サーバ装置２００に対して登録処理が行われる（Ｓ１０１）。サーバ装置２００では、移動機１００に対して発信処理を行うことができるように、移動機１００の電話番号および暗証番号が、サーバ装置２００のデータベース２０３に記憶される（Ｓ１０２）。また、移動機１００においては、サーバ装置２００を特定する識別情報、例えばサーバ装置２００の電話番号が登録され、マナーモード時にサーバ装置２００を発信元とする着信があった場合、鳴動処理を行うように設定されているものとする。
【００４１】
その後、移動機１００のユーザが、ユーザの目の届かない場所に移動機１００を置いてしまい、移動機１００を探している場合、サーバ装置２００からの発信処理を行わせるため依頼処理を行う。まず、移動機１００のユーザは、移動機３００を操作することにより、サーバ装置２００と通信接続が行われる（Ｓ１０３）。移動機３００とサーバ装置２００とが通信接続がされた場合、サーバ装置２００では、鳴動させる対象となる移動機１００の電話番号および暗証番号を入力するように、音声ガイダンスが移動機３００に出力される（Ｓ１０４）。
【００４２】
移動機３００では、出力された音声ガイダンスにしたがって、ユーザにより移動機１００の電話番号および暗証番号が入力され、移動機３００からサーバ装置２００に電話番号および暗証番号が出力される（Ｓ１０５）。サーバ装置２００では、認証部２０４により、データベース２０３に記憶されている、入力された電話番号に対応する暗証番号と、入力された暗証番号とが比較され、両者が一致しているか否かを判断することで認証処理が行われる（Ｓ１０６）。なお、認証処理が正常に行われない場合は、エラー処理がなされ、移動機３００に対して暗証番号が間違っている旨の音声メッセージが出力される（図示せず）。
【００４３】
サーバ装置２００では、認証部２０４により正常に認証処理が行われた場合、移動機１００に対して、サーバ装置２００を発信元とした発信処理が行われる（Ｓ１０７）。この発信処理による着信を受けた移動機１００では、発信元判断部１０４により、発信元の電話番号が判断される（Ｓ１０８）。ここで、移動機１００では、発信元判断部１０４を用いて、鳴動部１０３に鳴動させる電話番号、つまりサーバ装置２００の電話番号であることが判断された場合、鳴動部１０３は着信音による鳴動が行われる（Ｓ１０９）。なお、サーバ装置２００からの発信処理（発呼処理）がすぐに終了したとしても、移動機１００の鳴動部１０３はあらかじめ定めた時間鳴動しつづける。また、移動機１００において、サーバ装置２００の電話番号が設定されていない場合であって、移動機１００がマナーモードに設定されている場合は、移動機１００は着信音による鳴動を行うことなく、バイブレータなどによる着信処理を行うことになる。
【００４４】
上述の実施形態においては、サーバ装置２００が移動機１００に対して発信処理を行う方法として、電話通信による発呼処理を例示したが、これに限るものではなく、インターネット電子メールまたはＳＭＳによるメールを送信することによる発信処理を行うことによっても同様の作用効果を得ることができる。なお、サーバ装置２００がインターネット電子メールを送信することによる発信処理を行う場合は、移動機１００の宛先情報として電子メールアドレスが設定されていることが必要である。また、移動機１００においては、発信処理部２０５において設定されている発信元を示す情報としては、サーバ装置２００の電子メールアドレスが設定されていることが必要である。また、サーバ装置２００から送信されたインターネット電子メールまたはＳＭＳによるメールを受信した移動機１００においては、所定時間、着信音を鳴動するように構成されていることが好ましい。
【００４５】
また、サーバ装置２００が、移動機１００に対して鳴動処理を行わせる発信処理の依頼を移動機３００から受ける場合、上述の実施形態では電話通信による方法を例示したが、これに限るものではなく、サーバ装置２００は、所定フォーマットにより、移動機１００の電話番号および対応する暗証番号が記述された電子メールを、依頼元（例えば移動機３００）から受信することにより、依頼を受けることもできる。さらに、サーバ装置２００に、Ｗｅｂ機能を設け、依頼元（例えば移動機３００）からＷｅｂを経由して、移動機１００の電話番号および対応する暗証番号を特定することで、上述と同様に、サーバ装置２００は発信処理の依頼を受けることができる。
【００４６】
次に、本実施形態の通信システムおよびサーバ装置２００の作用効果について説明する。
【００４７】
本実施形態の通信システムにおいて、ユーザは、公衆通信網に接続されているサーバ装置２００から発信処理を行わせるために、当該サーバ装置２００に対して、鳴動着信処理を移動機１００に行わせるよう依頼する処理を行うだけで、ユーザはどの場所にいても、移動機１００を探し出すための発信依頼処理を行うことができる。
【００４８】
よって、サーバ装置２００は、公衆網を経由して移動機１００を特定する電話番号情報を受信し、サーバ装置２００を特定する電話番号情報を付加した発信信号を移動機１００に送信し、移動機１００は、無鳴動モード時にサーバ装置２００の識別情報が付加された発信信号を受信した場合、無鳴動モードに設定されていたとしても、鳴動することができる。これにより、移動機１００が無鳴動モードであっても、サーバ装置２００からの着信に対しては鳴動処理を行うことができるため、無鳴動モードに設定された状態で移動機１００がユーザの目の届かない場所に隠れてしまった場合でも、移動機１００は鳴動処理を行うことができ、ユーザは、移動機１００の着信音に基づいて、簡単に移動機１００の場所を探し出すことができる。また、移動機１００を紛失した場合であっても、ユーザは着信音を聞くことができない場合には、少なくとも、ユーザが現にいる場所に移動機１００は存在していないことを知ることができる。よって、ユーザは、紛失届を出す、または移動機１００の発信処理を停止するよう通信業者に知らせる、などの対策を迅速に行うことができる。
【００４９】
また、本実施形態の通信システムは、発信処理部２０５による発信信号の送信処理を行うに先立って、認証部２０４による認証処理を行うことができる。これにより、移動機１００が無鳴動モードであるときに、第三者が勝手に移動機１００を鳴動させる着信を行わせる操作をすることを防止することができる。
【００５０】
また、本実施形態の通信システムは、移動機１００において、サーバ装置２００からの着信があった場合、サーバ装置２００からの発信処理が終了しても、あらかじめ定めた時間鳴動しつづけることができる。これにより、サーバ装置２００は長時間発信処理を行う必要がなく、サーバ装置の負荷を低減することができる。
【図面の簡単な説明】
【００５１】
【図１】本実施形態における通信システムのシステム構成図である。
【図２】本実施形態の移動機１００のブロック構成図である。
【図３】サーバ装置２００のブロック構成図である。
【図４】データベース２０３に記憶されている管理テーブルである。
【図５】移動機１００、サーバ装置２００および移動機３００の動作を示すシーケンス図である。
【符号の説明】
【００５２】
１００…移動機、１０１…通信部、１０２…鳴動設定部、１０３…鳴動部、１０４…発信元判断部、２００…サーバ装置、２０１…通信部、２０２…登録部、２０３…データベース、２０４…認証部、２０５…発信処理部、３００…移動機、４００…公衆通信網。
【図１】
2006287608.tif 000003
【図２】
2006287608.tif 000004
【図３】
2006287608.tif 000005
【図４】
2006287608.tif 000006
【図５】
2006287608.tif 000007